(57)【要約】【課題】特別な機能の実装なしに、画像処理に係る回路データの再設定にかかる処理を迅速に行うことができる画像処理装置を提供する。【解決手段】画像処理装置は、印刷ジョブの入力を受け付ける入力部と、入力された印刷ジョブに含まれる印刷用データに対して、それぞれ異なる画像処理を実施する複数の画像処理部と、前記複数の画像処理部それぞれによる処理が完了した後に、画像処理済みの前記印刷用データを出力する出力部と、前記複数の画像処理部それぞれに対応し、前記印刷ジョブの種別毎に設定された回路の論理構成を示す回路データを記憶する記憶部と、入力された前記印刷ジョブに対応する前記回路データに基づき、前記複数の画像処理部の前記論理回路の変更を、それぞれ互いに独立して実行する変更部と、を備える。【選択図】図３
2014059778.tif 000002
【特許請求の範囲】
【請求項１】
印刷ジョブの入力を受け付ける入力部と、
入力された印刷ジョブに含まれる印刷用データに対して、それぞれ異なる画像処理を実施する複数の画像処理部と、
前記複数の画像処理部それぞれによる処理が完了した後に、画像処理済みの前記印刷用データを出力する出力部と、
前記複数の画像処理部それぞれに対応し、前記印刷ジョブの種別毎に設定された回路の論理構成を示す回路データを記憶する記憶部と、
入力された前記印刷ジョブに対応する前記回路データに基づき、前記複数の画像処理部の前記論理回路の変更を、それぞれ互いに独立して実行する変更部と、
を備えることを特徴とする画像処理装置。
【請求項２】
前記変更部は、前記複数の画像処理部に対し、前回に入力された前記印刷ジョブに対応する前記回路データと、今回に入力された前記印刷ジョブに対応する前記回路データとが、互いに異なる場合にのみ、前記論理回路の変更を実行される
ことを特徴とする請求項１に記載の画像処理装置。
【請求項３】
前記変更部は、前記複数の画像処理部に対し、前記印刷用データに対する画像処理が完了すると、次の入力された前記印刷ジョブに対応する前記回路データに基づく、前記論理回路の変更を実行する
ことを特徴とする請求項１に記載の画像処理装置。
【発明の詳細な説明】
【技術分野】
【０００１】
本発明は、画像処理装置に関する。
【背景技術】
【０００２】
画像処理装置においては、画像情報処理の多様化、高度化に伴い、画像の種類や状況に応じた処理のニーズが増加している。こうしたニーズに対応するため、例えば特許文献１に記載の技術を利用して、画像処理装置の画像情報処理部において、フィールドプログラマブルゲートアレイに代表される内部論理回路を定義・変更できるプログラマブルロジックデバイスを採用し、ニーズに応じた画像情報処理を実現する方式が既に知られている。
【０００３】
プログラマブルロジックデバイスは、回路を構成する素子や配線に関するコンフィギュレーションコードを外部記憶装置であるＲＯＭやフラッシュメモリなどに保持している。そしてプログラマブルロジックデバイスは、必要に応じてコンフィギュレーションコードを読み込み、読み込んだコンフィギュレーションコードに基づいて内蔵する複数の論理エレメント間の接続状態を変更することによって、任意の論理回路を実現することができる。
【０００４】
プログラマブルロジックデバイスを使用して画像情報処理部を実現するためには、コンフィギュレーションコードを読み込み、回路を再構成するために要する時間と、再構成後の回路に対するレジスタなどの設定を行う時間が必要となるが、画像情報処理の高画質化に伴い、これらの時間は増加している。
【０００５】
時間の増大に対応するため、特許文献２には、コンフィギュレーションコードに対して設定情報を含めるデバイスの書き換えデータを生成するためのコンバータを設け、ＣＰＵの制御により、画像データの処理内容に基づいて画像処理に必要とされる設定情報を含む、コンフィギュレーションコードを書き換えるための書き換えデータを生成し、その後に書き換えデータをデバイスへロードして回路を再構成することで、再構成した機能への設定情報の設定時間を短縮する構成が開示されている。
【発明の概要】
【発明が解決しようとする課題】
【０００６】
しかし、今までのコンフィギュレーションコードに基づいて回路を再構成可能なロジックデバイスを備える画像処理装置では、コンフィギュレーションコードに対して画像処理に必要とされる設定情報を組み込んだ書き換えデータを生成するためのコンバータ機能を、ハードウェアもしくはソフトウェアにより画像処理装置へ実装しなければならない、という問題があった。このような実装は、装置自体の構成が複雑化するとともにコストが高くなることから、より簡易な方法で、回路データの設定を迅速に行うことができる方法が求められている。
【０００７】
本発明は、上記に鑑みてなされたものであって、特別な機能の実装なしに、画像処理に係る回路データの再設定にかかる処理を迅速に行うことのできる画像処理装置を提供することにある。
【課題を解決するための手段】
【０００８】
上述した課題を解決し、目的を達成するために、本発明の画像処理装置は、印刷ジョブの入力を受け付ける入力部と、入力された印刷ジョブに含まれる印刷用データに対して、それぞれ異なる画像処理を実施する複数の画像処理部と、前記複数の画像処理部それぞれによる処理が完了した後に、画像処理済みの前記印刷用データを出力する出力部と、前記複数の画像処理部それぞれに対応し、前記印刷ジョブの種別毎に設定された回路の論理構成を示す回路データを記憶する記憶部と、入力された前記印刷ジョブに対応する前記回路データに基づき、前記複数の画像処理部の前記論理回路の変更を、それぞれ互いに独立して実行する変更部と、を備えることを特徴とする。
【発明の効果】
【０００９】
本発明によれば、特別な機能の実装なしに、画像処理に係る回路データの再設定にかかる処理を迅速に行うことができるという効果を奏する。
【図面の簡単な説明】
【００１０】
【図１】図１は、実施形態の印刷システムの構成を示す図である。
【図２】図２は、実施形態のプリンタのハードウェア構成を示す図である。
【図３】図３は、実施形態のプリンタの画処理／出力部の構成を示す図である。
【図４】図４は、実施形態の印刷ジョブのデータ構成を示す図である。
【図５】図５は、実施形態の印刷設定情報のデータ構成を示す図である。
【図６】図６は、実施形態の画像処理部の設定情報テーブルのデータ構成を示す図である。
【図７】図７は、実施形態の印刷ジョブ入力時の処理の流れを示す図である。
【図８】図８は、実施形態の画像処理部のステータステーブルのデータ構成を示す図である。
【図９】図９は、実施形態の画像処理部の論理回路の変更に係る処理の流れを示す図である。
【図１０】図１０は、実施形態の画像処理部の画像処理に係る処理の流れを示す図である。
【図１１】図１１は、実施形態の画像処理部を図６の印刷ジョブに従って画像処理した処理の流れを示す図である。
【発明を実施するための形態】
【００１１】
以下に添付図面を参照して、画像処理装置の実施の形態を詳細に説明する。図１は、本発明の画像処理装置を用いた印刷システム１００の一例の構成を示す。印刷システム１００には、複数のホストＰＣ１１〜１３と画像処理装置であるプリンタ１４が、ネットワーク１０を介して接続されている。プリンタ１４は複数のホストＰＣ１１〜１３からの印刷要求を受けて、印刷を実行する。なお、画像処理装置としては、プリンタ以外にもＭＦＰや、コピー機、スキャナ、プロジェクタなど他の装置を採用してもよい。
【００１２】
次に、図２にプリンタ１４のハードウェア構成を示す。プリンタ１４は、コントローラ２０、操作部２１、プリントエンジン２２を備えている。コントローラ２０は、ＣＰＵ２０１、ＲＯＭ２０２、入力部２０３、操作制御部２０４、ＲＡＭ２０５、ＨＤＤ２０６、画処理／出力部２０７を備えている。ＣＰＵ２０１は、各種制御やホストＰＣ１１〜１３から受信したＰＤＬデータをラスタデータに展開する描画像処理などを実行する。ＲＯＭ２０２には起動用プログラムや、画処理／出力部２０７の画像処理用回路データや設定情報が格納されている。入力部２０３はネットワーク１０とのインタフェース制御を行う。操作制御部２０４は操作部２１とのインタフェース制御を行う。ＲＡＭ２０５は印刷データや、プログラム実行のためのワークエリアとして使用される。ＨＤＤ２０６は印刷データの一時格納やプログラムが格納される。画処理／出力部２０７は画像データを受信して、画像処理を実行し、プリントエンジン２２へ出力する。これらの各部はバス２０８によって、互いに接続されている。
【００１３】
次に、図３に画処理／出力部２０７の構成を示す。画処理／出力部２０７はインタフェース制御部３０１、メモリ３０２、複数の画像処理部３０３〜３０５、出力部３０６を備えている。本構成では三つの画像処理部で構成されているが、適用される事例によって、画像処理部の数は増減しても構わない。なお画像処理部３０３〜３０５はそれぞれ互いに異なる画像処理の工程を実施する。例えば、自動補正処理、カラーマッチング、セパレーション、ハーフトーニングなどの各処理を、それぞれ別の画像処理部が担当して実行する。したがって、それぞれの画像処理部３０３〜３０５は同時に動作するのではなく、ある画像処理部で処理が行われた印刷データが、他の画像処理部へと渡されて処理が行われるという流れで処理が実行される。
【００１４】
インタフェース制御部３０１はバス２８とのインタフェース制御を行う。メモリ３０２は画像データの一時格納に使用される。画像処理部３０３〜３０５は、画像データに対して色変換や回転処理、フィルタリングなどの画像処理を実行する。出力部３０６は、画像データをプリントエンジン２２に出力する制御を行う。画像処理部３０３〜３０５を除く部分については、プリンタ起動時に画処理／出力部２０７に接続されたＲＯＭ３１（記憶部）から回路データをロードし、構成される。なお、ＲＯＭ３１は、画処理／出力部２０７専用の記憶部として設けられた例を示したが、ＲＯＭ２０２にこれらの回路データを記憶するようにしてもよい。一方、画像処理部３０３〜３０５は、印刷ジョブが入力される毎に回路データと、レジスタ設定データとが設定される。したがって、本実施形態においては画処理／出力部２０７が、プログラマブルロジックデバイスとして機能している。
【００１５】
次に、図４にホストＰＣ１１〜１３からプリンタ１４に送られる印刷データの構成について示す。印刷データはヘッダ４１、印刷設定情報４２、ＰＤＬデータ４３（印刷用データ）、エンド４４を含んでいる。ヘッダ４１は印刷データの先頭を示すデータである。印刷設定情報４２は印刷に必要とされるカラー／モノクロの種別、解像度、画質、印刷速度、回転の要否、ページ数といった情報が含まれる。これらの情報はホストＰＣ１１〜１３から印刷データを送信する際にプリンタドライバにより設定される。ＰＤＬデータ４３はページプリンタに文字や画像を印刷するためのプリンタ記述言語で表された印刷データである。エンド４４は印刷データの終わりを示すデータである。なお、データの構成としては、必要に応じて誤り検出用のデータを付加してもよい。
【００１６】
次に、図５は回路ＩＤとレジスタ設定ＩＤとの組み合わせを示す図である。ＲＯＭ２０２内には回路ＩＤとレジスタ設定ＩＤに紐付けられた回路データ、及びレジスタ設定データが格納されている。また図５に示されるように、ＲＯＭ２０２内には投入された印刷データに付加されている印刷設定情報４２に対応する、回路ＩＤとレジスタ設定ＩＤとの組み合わせのテーブル５２が格納されている。例えば、印刷設定情報４２として「○○」が入力されたとすると、回路ＩＤ（Ａ）にはＡ０１、レジスタ設定ＩＤ（Ａ）にはＡ０１１、回路ＩＤ（Ｂ）にはＢ０１、レジスタ設定ＩＤ（Ｂ）には、Ｂ０１１、回路ＩＤ（Ｃ）にはＣ０１、レジスタ設定ＩＤ（Ｃ）にはＣ０１１がそれぞれ対応する画像処理部３０３〜３０５の回路データとして設定されるということを意味する。回路ＩＤ（Ａ）、及びレジスタ設定ＩＤ（Ａ）は、画像処理部３０３に対応した値である。回路ＩＤ（Ｂ）、及びレジスタ設定ＩＤ（Ｂ）は、画像処理部３０４に対応した値である。回路ＩＤ（Ｃ）、及びレジスタ設定ＩＤ（Ｃ）は、画像処理部３０５に対応した値である。したがって、画処理／出力部２０７に対して印刷ジョブが投入されると、その印刷設定情報４２に対応する回路ＩＤとレジスタ設定ＩＤが決定される。
【００１７】
次に、印刷ジョブが入力された際の処理の流れを図６、図７を用いて説明する。図６は、ＲＡＭ２０５に記憶されている各画像処理部３０３〜３０５の回路データなどの設定に用いられる印刷設定情報テーブル６２、回路ＩＤ・設定ＩＤテーブル６３、及びＦＬＧ情報テーブル６４をそれぞれ示している。これらの各テーブル６２〜６４は、それぞれ印刷ジョブの入力がある毎に更新される。
【００１８】
図７に示されるように、まずはホストＰＣ１１〜１３から印刷ジョブが入力部２０３に入力される（ステップＳ００１）。入力された印刷ジョブを受け取ったＣＰＵ２０１は、ＲＡＭ２０５に記憶されている印刷設定情報テーブル６２に対して、受け取ったジョブＩＤ、および印刷ジョブに含まれている印刷設定情報４２にて指定されている各種設定の情報を付加する（ステップＳ００２）。
【００１９】
次に、ＣＰＵ２０１は、印刷設定情報４２に含まれるジョブＩＤに対応する図５で示した回路ＩＤとレジスタ設定ＩＤとの組み合わせをＲＯＭ２０２から取得して、ジョブＩＤと対応付けて回路ＩＤ・設定ＩＤテーブル６３に記憶する（ステップＳ００３）。次に、ＣＰＵ２０１は、一つ前に投入された印刷ジョブに対して設定されている回路ＩＤと、今回の印刷ジョブに対して設定されている回路ＩＤとを比較する（ステップＳ００４）。回路ＩＤが異なると判定された場合（ステップＳ００４：Ｎｏ）、ＣＰＵ２０１は、現在設定されている回路と異なる回路を設定するため、ＦＬＧ情報テーブル６４の現在のジョブＩＤと対応する再構成ＦＬＧに“１”を設定するとともに（ステップＳ００５）、設定ＦＬＧに“１”を設定し（ステップＳ００６）、処理を終了する。
【００２０】
一方、回路ＩＤが同一である場合（ステップＳ００４：Ｙｅｓ）、ＣＰＵ２０１は、現在設定されている回路と同一の回路であることから、ＦＬＧ情報テーブル６４の再構成ＦＬＧに“０”を設定する（ステップＳ００７）。次いで、ＣＰＵ２０１は、回路ＩＤが同一であった画像処理部３０３〜３０５について、ひとつ前の印刷ジョブに対して設定されたレジスタ設定ＩＤと、現在の印刷ジョブに対して設定されたレジスタ設定ＩＤとを比較する（ステップＳ００８）。レジスタ設定ＩＤが異なる場合（ステップＳ００８：Ｎｏ）、ＣＰＵ２０１は、設定ＦＬＧに“１”を設定する（ステップＳ００９）。一方、レジスタ設定ＩＤが同一の場合（ステップＳ００８：Ｙｅｓ）、ＣＰＵ２０１は、設定ＦＬＧに“０”を設定する（ステップＳ０１０）。なお、ステップＳ００４〜ステップＳ０１０の各処理は、各画像処理部３０３〜３０５それぞれに対して処理が実行される。
【００２１】
以上の処理の流れを図６で示すジョブＩＤが０００２の印刷ジョブを受信した場合について説明する。印刷ジョブを受信すると、ＣＰＵ２０１は、回路ＩＤ・設定ＩＤテーブル６３に、印刷ジョブに含まれる印刷設定情報４２として、回路ＩＤ（Ａ）にＡ０２を、レジスタ設定ＩＤ（Ａ）にＡ０２１を、回路ＩＤ（Ｂ）にＢ０２を、レジスタ設定ＩＤ（Ｂ）にＢ０２１を、回路ＩＤ（Ｃ）にＣ０１を、レジスタ設定ＩＤ（Ｃ）にＣ０１２をそれぞれＲＡＭ２０５に記憶させる（ステップＳ００３）。次いで、画像処理部３０３〜３０５それぞれの回路ＩＤが、一つ前の印刷ジョブの回路ＩＤと一致するかの判定が行われ（ステップＳ００４）、画像処理部３０３の回路ＩＤ（Ａ）と画像処理部３０４の回路ＩＤ（Ｂ）において回路ＩＤが異なるため（ステップＳ００４：Ｎｏ）、それぞれの対応する再構成ＦＬＧ（Ａ）、（Ｂ）、および設定ＦＬＧ（Ａ）、（Ｂ）、には、１が記憶される（ステップＳ００５、Ｓ００６）。一方、画像処理部３０５に対応する回路ＩＤ（Ｃ）は、互いのＩＤが一致し（ステップＳ００４：Ｙｅｓ）、レジスタ設定ＩＤが異なるため（ステップＳ００８：Ｎｏ）、再構成ＦＬＧ（Ｃ）には０が、設定ＦＬＧ（Ｃ）には１がそれぞれ設定される（ステップＳ００７、Ｓ００９）。
【００２２】
次に、各画像処理部３０３〜３０５の状態を示すステータステーブルについて図８を用いて説明する。ステータステーブル６５は、ＲＡＭ２０５に記憶されており、ＣＰＵ２０１によって更新される。ステータステーブル６５は、設定完了ステータスと画像処理実行中ステータスがあり、設定完了ステータスと画像処理実行中ステータスが“０”の場合には画像処理完了状態として次の印刷ジョブの入力を待機している状態、設定完了ステータスが“１”で画像処理実行中ステータスが“０”の場合は回路データ、及びレジスタの設定完了状態、設定完了ステータスと画像処理実行中ステータスが“１”の場合には画像処理実行中を示す。ステータステーブル６５は、画像処理部３０３〜３０５の数だけ設けられており、本実施形態では３つ存在する。なお、各ステータスの値の更新、変更されるタイミングについては、後述する。
【００２３】
次に画像処理部３０３〜３０５に対する回路データと、レジスタ設定とを行う処理の流れを図９を用いて説明する。画像処理部３０３〜３０５に対する設定は、図７で示した処理と並行して行われ、印刷ジョブの入力を契機として行われる。したがって、画像処理部３０３〜３０５に対しては、ＣＰＵ２０１にて設定された印刷設定情報テーブル６２、回路ＩＤ・設定ＩＤテーブル６３、及びＦＬＧ情報テーブル６４が転送されることで、設定が行われる。
【００２４】
まず、印刷ジョブが入力されると、ＣＰＵ２０１は、図６の処理に示す設定情報テーブル６１の作成と、ＰＤＬデータ４３からラスタデータへの展開を実行する（ステップＳ１００）。ステップＳ１００の処理のうち、設定情報テーブル６１を作成する処理は、図７のステップＳ００１〜Ｓ０１０が相当する。次いで、ＣＰＵ２０１は、画像処理部３０３〜３０５毎に、ステータステーブル６５の設定完了ステータス、及び画処理実行中ステータスがともに“０”となっているか否かを判定する（ステップＳ１０１）。ステータステーブル６５の設定完了ステータス、及び画処理実行中ステータスがともに“０”となっている場合は、ある印刷ジョブの画像処理が完了し、次の印刷ジョブが入力されてそのための画像処理部３０３〜３０５に対する回路データと、レジスタの設定が完了するまでの状態である。したがって、印刷ジョブに対する画像処理が完了することで、次の印刷ジョブに対する各種設定を即座に行うことができるようになっている。
【００２５】
ステータステーブル６５の設定完了ステータス、及び画処理実行中ステータスがともに“０”となっていない場合（ステップＳ１０１：Ｎｏ）、０となるまで処理を繰り返す。一方、画像処理部３０３〜３０５のいずれかのステータステーブル６５の設定完了ステータス、及び画処理実行中ステータスがともに“０”となっていると判定された場合（ステップＳ１０１：Ｙｅｓ）、ＣＰＵ２０１は、設定情報テーブル６１のＦＬＧ情報テーブル６４における、該当する画像処理部３０３〜３０５の再構成ＦＬＧと設定ＦＬＧの値を確認する（ステップＳ１０２）。そして、ＣＰＵ２０１は、該当する画像処理部３０３〜３０５の再構成ＦＬＧの値が１であるか否かの判定を実施する（ステップＳ１０３）。
【００２６】
該当する画像処理部３０３〜３０５の再構成ＦＬＧが１である場合（ステップＳ１０３：Ｙｅｓ）、ＣＰＵ２０１（変更部）は、回路再構成処理(ステップＳ１０４)と、レジスタ設定処理（ステップＳ１０５）を実行する。回路再構成処理は、ＣＰＵ２０１が、ＲＯＭ２０２に格納されている画像処理部３０３〜３０５の回路ＩＤによって指定される回路データを、画処理／出力部２０７へ転送することで実行される。また、レジスタ設定処理は、ＣＰＵ２０１が、ＲＯＭ２０２に格納されている画像処理部３０３〜３０５のレジスタ設定ＩＤによって指定されるレジスタ設定データを画処理／出力部２０７へライトし、レジスタの設定を行うことで実行される。
【００２７】
一方、該当する画像処理部３０３〜３０５の再構成ＦＬＧが０である場合（ステップＳ１０３：Ｎｏ）、ＣＰＵ２０１は、該当する画像処理部３０３〜３０５の設定ＦＬＧが１であるか否かを判定する（ステップＳ１０６）。該当する画像処理部３０３〜３０５の設定ＦＬＧが１であると判定された場合（ステップＳ１０６：Ｙｅｓ）、ＣＰＵ２０１はステップＳ１０５と同様のレジスタ設定処理を実行する（ステップＳ１０７）。一方、設定ＦＬＧが“０”と判定された場合には（ステップＳ１０６：Ｎｏ）、何も実施せずにステップＳ１０９へ移行する。そして、上記の回路データ、及びレジスタの設定が完了すると、ＣＰＵ２０１は、設定完了ステータスに“１”を設定する（ステップＳ１０９）。
【００２８】
次に、図１０に画像処理実行の手順を示す。ＣＰＵ２０１は、設定完了ステータスが“１”であり、かつ画処理実行中ステータスが“０”となったか否かを判定する（ステップＳ２０１）。設定完了ステータスが“１”であり、かつ画処理実行中ステータスが“０”となっている状態とは、図９の処理によって、画像処理部３０３〜３０５の回路データ、及びレジスタがともに設定が完了したか、変更が双方ともされなかったかの状態を示している。設定完了ステータスが“１”であり、かつ画処理実行中ステータスが“０”であると判定した場合（ステップＳ２０１：Ｙｅｓ）、画像処理部３０３〜３０５は、画処理実行中ステータスに“１”を設定して画像処理を開始する（ステップＳ２０２）。一方、設定完了ステータスが“１”と、画処理実行中ステータスが“０”とが満たされていないと判定した場合（ステップＳ２０１：Ｎｏ）、設定が完了するまで待機する。
【００２９】
なお、ＰＤＬデータ４３から展開されたラスタデータは事前に、画処理／出力部２０７のメモリ３０２へ転送されている。画像処理部３０３〜３０５は、メモリ３０２からラスタデータを取得し、画像処理を実行し、画像処理後のデータを再びメモリ３０２へライトする。
【００３０】
ＣＰＵ２０１は、画像処理部３０３〜３０５による画処理が実行中であるか否かを判定し（ステップＳ２０３）、実行中である場合（ステップＳ２０３：Ｙｅｓ）は繰り返し判定を行う。一方、画像処理が完了したと判定された場合（ステップＳ２０３：Ｎｏ）、ＣＰＵ２０１は、設定完了ステータスを“０”にするとともに（ステップＳ２０４）、画処理実行中ステータスを“０”に設定する（ステップＳ２０５）。すべての画像処理が完了したラスタデータは出力部３０６を介してメモリ３０２からプリントエンジン２２へ転送され、印刷が実行される。
【００３１】
図１１に図６で示した設定情報テーブル６１に従って印刷ジョブに対する画像処理部３０３〜３０５の設定と、画像処理を実行した場合の例を示す。図１１に示されるように、
ジョブＩＤ０００１では、画像処理部３０３〜３０５すべての回路再構成処理とレジスタ設定処理とが実施される。ジョブＩＤ０００１のときは、以前に何の画像処理も実行されていないため、再構成とレジスタ設定はすべて同時に実行される（ステップＳ３０１）。
【００３２】
回路再構成処理とレジスタ設定処理が完了した後は、順次画像処理部３０３〜３０５は、対応する画像処理Ａ〜Ｃを実行し（ステップＳ３０２）、画像処理が完了すると出力部３０６は、プリントエンジン２２へと画像処理した印刷用データを出力する（ステップＳ３０３）。
【００３３】
ジョブＩＤ０００２では、画像処理部３０３と画像処理部３０４は回路の回路再構成処理とレジスタ設定処理が実行され、画像処理部３０５はレジスタ設定処理のみが実行される。ジョブＩＤ０００１の画像処理が完了次第、画像処理部３０３、及び画像処理部３０４の回路の回路再構成処理とレジスタ設定処理がそれぞれ独立して実行される。なお、各画像処理部３０３〜３０５毎に処理が行われているタイミングは、ジョブＩＤ０００１の印刷ジョブの際に、それぞれの画像処理部３０３〜３０５における画像処理が完了するタイミングによって決定されるため、それぞれ別になっている。画像処理部３０５についてはレジスタ設定処理のみが実行される（ステップＳ３０４）。そして、すべての画像処理が完了すると、出力部３０６は、プリントエンジン２２へと画像処理した印刷用データを出力する（ステップＳ３０５）。
【００３４】
ジョブＩＤ０００３では、画像処理部３０３と画像処理部３０５は回路の回路再構成処理とレジスタ設定処理が実行され、画像処理部３０４は何も設定が実行されない。ジョブＩＤ０００２の画像処理が完了次第、画像処理部３０３、及び画像処理部３０５の回路の回路再構成処理とレジスタ設定処理がそれぞれ独立して実行される（ステップＳ３０６）。そして、すべての画像処理が完了すると、出力部３０６は、プリントエンジン２２へと画像処理した印刷用データを出力する（ステップＳ３０７）。
【００３５】
以上に示した本実施形態の印刷システム１００にあっては、画像処理部３０３〜３０５がそれぞれの機能毎に分割されており、回路データの設定に係る処理と、レジスタの設定に係る処理を分割してそれぞれ独立に行うことができる。したがって、画像処理部を単一のものとして、回路データの設定やレジスタの設定を行なう場合と比較して、設定に係る処理を並列で行うことで、設定に係る時間を短縮することができるようになる。
【００３６】
また、複数ある画像処理部３０３〜３０５のうち処理が完了したものから、順次、次に投入されるジョブで使用する画像処理部３０３〜３０５の回路データの再設定と、レジスタの設定とを実施することで、画像処理機能の切り替えによるパフォーマンス低下を抑制することができるようになる。
【符号の説明】
【００３７】
１０  ネットワーク
１１  ホストＰＣ
１４  プリンタ
２０  コントローラ
２１  操作部
２２  プリントエンジン
２８  バス
４１  ヘッダ
４２  印刷設定情報
４３  ＰＤＬデータ
４４  エンド
５２  テーブル
６１  設定情報テーブル
６２  印刷設定情報テーブル
６３  回路ＩＤ・設定ＩＤテーブル
６４  ＦＬＧ情報テーブル
６５  ステータステーブル
１００  印刷システム
２０１  ＣＰＵ
２０２  ＲＯＭ
２０３  入力部
２０４  操作部制御
２０５  ＲＡＭ
２０６  ＨＤＤ
２０７  画処理／出力部
２０８  バス
３０１  インタフェース制御部
３０２  メモリ
３０３  画像処理部
３０４  画像処理部
３０５  画像処理部
３０６  出力部
【先行技術文献】
【特許文献】
【００３８】
【特許文献１】特開２００７−１７９３５８号公報
【特許文献２】特開２０１０−２０６７０４号公報
【図１】
2014059778.tif 000003
【図２】
2014059778.tif 000004
【図３】
2014059778.tif 000005
【図４】
2014059778.tif 000006
【図５】
2014059778.tif 000007
【図６】
2014059778.tif 000008
【図７】
2014059778.tif 000009
【図８】
2014059778.tif 000010
【図９】
2014059778.tif 000011
【図１０】
2014059778.tif 000012
【図１１】
2014059778.tif 000013